(57)【要約】 【課題】  簡単な弁構造を採用し、ポンプを各種の用途に使用することができること。【解決手段】  シリンダーと、ピストンを有する作動杆とを備えたピストン型ポンプであり、シリンダーに形成された複数個の吸引孔及び吐出孔にそれぞれ連通する弁収納部を有する第１と第２の吸引弁手段及び第１と第２の吐出弁手段をそれぞれ連結し、前記各弁収納部には、極性に対応して磁性弁座に着座する磁性弁体をそれぞれ内装し、ピストンが加圧室内を摺動することに起因して流体の圧力が磁性体の吸着力よりも増さると、第１の吸引弁手段並びに第２の吐出弁手段の各磁性弁体は、磁気吸着作用の吸着力に抗して対応する磁性弁座から同時に離れて開弁状態となる反面、第１吐出弁手段並びに第２吸引弁手段の各磁性弁体は、磁気作用により逆止弁の機能を発揮すること。【選択図】  図４
2006009679.tif 000002
【特許請求の範囲】
【請求項１】
シリンダーと、ピストンを有する作動杆とを備えたピストン型ポンプであり、シリンダーに形成された複数個の吸引孔及び吐出孔にそれぞれ連通する弁収納部を有する第１と第２の吸引弁手段及び第１と第２の吐出弁手段をそれぞれ連結し、前記各弁収納部には、極性に対応して磁性弁座に着座する磁性弁体をそれぞれ内装し、ピストンが加圧室内を摺動することに起因して流体の圧力が磁性体の吸着力よりも増さると、第１の吸引弁手段並びに第２の吐出弁手段の各磁性弁体は、磁気吸着作用の吸着力に抗して対応する磁性弁座から同時に離れて開弁状態となる反面、第１吐出弁手段並びに第２吸引弁手段の各磁性弁体は、磁気作用により逆止弁の機能を発揮することを特徴とするピストン型ポンプ。
【請求項２】
請求項１に於いて、吸引弁手段及び吐出弁手段は、ピストンで区画された第１加圧室側と第２加圧室側にそれぞれ設けられ、第１加圧室側の吸引弁手段の磁性弁体が開弁状態となって流体を第１加圧室に流して逃がし弁の機能を果たしている時には、第２加圧室側の吐出弁手段の磁性弁体も開弁状態となって流体を第２加圧室からシリンダーの外へと流す逃がし弁の機能を果たすことを特徴とするピストン型ポンプ。
【請求項３】
請求項１又は請求項２に於いて、第１加圧室側の吐出弁手段の磁性弁体は、磁気吸着作用の吸着力により弁座に着座していると共に、第２加圧室側の吸引弁手段の磁性弁体は、第２加圧室の圧力流体及び異磁極による吸着力により弁座に着座していることを特徴とするピストン型ポンプ。
【請求項４】
請求項１に於いて、磁性弁体は、球状磁石であることを特徴とするピストン型ポンプ。
【請求項５】
請求項１に於いて、作動杆の両端部は、シリンダーの両側壁から常時突出し、これらの突出先端部は、筒状回転部材の内部に設けられた等速カム輪郭に摺接し、該作動杆は筒状回転部材の回転により往復動することを特徴とするピストン型ポンプ。
【請求項６】
請求項５に於いて、筒状回転部材は、固定部材の内部空間に支持部材或いは玉軸受けを介して配設され、該回転部材が駆動源の駆動力により回転すると、前記作動杆は、回転部材の駆動回転により往復動し、第１及び第２の吐出弁手段から流れる流体の合成波形Ｗは、略一定になることを特徴とするピストン型ポンプ。
【請求項７】
シリンダーと、ピストンを有する作動杆とを備えたピストン型ポンプであり、前記シリンダーの周胴部に、シリンダーに形成された複数個の吸引孔及び吐出孔にそれぞれ連通する弁収納部を構成する第１と第２の吸引弁手段及び第１と第２の吐出弁手段をそれぞれ連結し、前記吸引弁手段及び吐出弁手段の各弁収納部には、極性に対応して磁性弁座に着座する磁性弁体をそれぞれ内装し、駆動源の駆動力により前記ピストンが加圧室内を摺動することに起因して流体の圧力が吸着力よりも増さると、前記第１の吸引弁手段並びに第２の吐出弁手段の各磁性弁体は、磁気吸着作用の吸着力に抗して対応する磁性弁座から同時に離れて開弁状態となる反面、前記第１吐出弁手段並びに第２吸引弁手段の各磁性弁体は、磁気作用により逆止弁の機能を発揮することを特徴とするピストン型ポンプ。
【請求項８】
請求項７に於いて、磁性弁体及び弁座には、弗素樹脂がコーティングされていることを特徴とするピストン型ポンプ。
【請求項９】
請求項７に於いて、磁性弁座は、磁性弁体の曲面に対する断面弧状の曲面を有するパッキンであることを特徴とするピストン型ポンプ。
【請求項１０】
シリンダーと、ピストンを有する作動杆とを備えたピストン型ポンプであり、前記シリンダーの周胴部そのものに、シリンダーに形成された複数個の吸引孔及び吐出孔にそれぞれ連通する弁収納部を有する第１と第２の吸引弁手段及び第１と第２の吐出弁手段を内設するように構成し、前記吸引弁手段及び吐出弁手段の各弁収納部には、極性に対応して磁性弁座に着座する磁性弁体をそれぞれ内装し、駆動源の駆動力により前記ピストンが前記加圧室内を摺動することに起因して流体の圧力が磁性体の吸着力よりも増さると、前記第１の吸引弁手段並びに第２の吐出弁手段の各磁性弁体は磁気吸着作用の吸着力に抗して対応する磁性弁座から同時に離れて開弁状態となる反面、前記第１吐出弁手段並びに第２吸引弁手段の各磁性弁体は、磁気作用により逆止弁の機能を発揮することを特徴とするピストン型ポンプ。
【発明の詳細な説明】
【技術分野】
【０００１】
本発明は、ピストン型ポンプに関し、特に作動杆が往復動するピストン型ポンプに関する。
【背景技術】
【０００２】
特許文献１には、「連続フローのためのスリット付き球バルブ」の発明が記載されている。この発明の球バルブは、第１バルブ手段と第２バルブ手段とを直列に連結してパイプ状のバルブ本体を形成し、該バルブ本体のチャンバ内に所定間隔を有して第１の球体可動弁体と、第２の球体可動弁体とをそれぞれ設け、これらの球体弁の弁座に対する支持位置が、バルブ本体の外周壁を包むように配設された電磁石によって開弁する。
【０００３】
また、上記構成の発明は、可動弁体は球体であるものの、球体自体はマグネットではなく、バルブ本体の周囲の電磁石による磁界作用によって開放位置が支持されるものであるから、巻線、巻線取付け部等が必要となり、バルブ本体等の構成が複雑になるという問題点がある。
【０００４】
一方、特許文献２には、ダイヤフラムの脈動を解消するために外周面に等速カム輪郭を有する駆動カムを採用したポンプが開示されている。また、特許文献３には、円筒カム機構によって往復動するプランジャー型ポンプが記載されている。
【０００５】
しかしながら、特許文献２、３のポンプは、いずれも装置が複雑であるという問題点がある。そこで、現在、簡単な弁構造を採用し、かつ、簡単な構成と合理的機構により、吐出（或いは排出）する流体の合成波形を、略一定（無動脈）にすることができるピストン型ポンプの出現が要望されている。
【特許文献１】特表２００３−５０６６４５号公報
【特許文献２】特許公開２００２−６１５８４号公報
【特許文献３】特開平６−１０８２９号公報
【発明の開示】
【発明が解決しようとする課題】
【０００６】
本発明の目的は、簡単な弁構造を採用し、かつ、簡単な構成と合理的機構により、吐出（或いは排出）する流体の合成波形を、略一定（無動脈）にすることができるピストン型ポンプを提案することである。また、従属的な目的として、部品の交換が容易、洗浄が簡単、装置全体をコンパクト化等を実現することができることである。
【課題を解決するための手段】
【０００７】
本発明のピストン型ポンプは、シリンダーと、ピストンを有する作動杆とを備えたピストン型ポンプであり、シリンダーに形成された複数個の吸引孔及び吐出孔にそれぞれ連通する弁収納部を有する第１と第２の吸引弁手段及び第１と第２の吐出弁手段をそれぞれ連結し、或いはシリンダーそのものに内設し、前記各弁収納部には、極性に対応して磁性弁座に着座する磁性弁体をそれぞれ内装し、ピストンが加圧室内を摺動することに起因して流体の圧力が磁性体の吸着力よりも増さると、第１の吸引弁手段並びに第２の吐出弁手段の各磁性弁体は、磁気吸着作用の吸着力に抗して対応する磁性弁座から同時に離れて開弁状態となる反面、第１吐出弁手段並びに第２吸引弁手段の各磁性弁体は、磁気作用により逆止弁の機能を発揮することを特徴とする。
【０００８】
上記構成に於いて、吸引弁手段及び吐出弁手段は、ピストンで区画された第１加圧室側と第２加圧室側にそれぞれ設けられ、第１加圧室側の吸引弁手段の磁性弁体が開弁状態となって流体を第１加圧室に流して逃がし弁の機能を果たしている時には、第２加圧室側の吐出弁手段の磁性弁体も開弁状態となって流体を第２加圧室からシリンダーの外へと流す逃がし弁の機能を果たすことを特徴とする。また、前記磁性弁体は、球状磁石であることを特徴とする。さらに、作動杆の両端部は、シリンダーの両側壁から常時突出し、これらの突出先端部は、筒状回転部材の内部に設けられた等速カム輪郭に摺接し、該作動杆は筒状回転部材の回転により往復動することを特徴とする。加えて、前記筒状回転部材は、固定部材の内部空間に支持部材或いは玉軸受けを介して配設され、該回転部材が駆動源の駆動力により回転すると、前記作動杆は、回転部材の駆動回転により往復動し、第１及び第２の吐出弁手段から流れる流体の合成波形Ｗは、略一定になることを特徴とする。
【発明の効果】
【０００９】
（１）簡単な弁構造を採用したので、ポンプを各種の用途に使用することができる。特に、磁性弁体が球体である実施例の場合には、流体の流れが上下又は左右であっても、流れの方向に関係なく、磁性弁体は磁性体の極性に対応して磁性弁座に着座する。
（２）付勢手段等を用いる必要がないから、耐久性に優れている。また、部品交換や洗浄も簡単である。
（３）請求項５に記載の発明は、簡単な構成と合理的機構により、流体の合成波形Ｗを、略一定（無動脈）にすることができる。
（４）請求項６に記載の発明は、回転部材の内部に少なくとも一つ以上のポンプ本体を組み込んだので、装置全体をコンパクト化することができる。
【発明を実施するための最良の形態】
【００１０】
まず、図１乃至図１２は、本発明の第１実施例である。この最良の実施形態により本発明を詳細に説明する。
【００１１】
（１）実施の環境
ここでは、図１乃至図３を参照にして駆動源側の構成部材を中心に実施の環境を説明する。１は床面、ベース板、基台などのポンプ用台で、このポンプ用台１は、不動産（建物）又は動産（電車、自動車、船舶など）の適宜箇所に取り付けられる。２はポンプ用台１の上面に支持台を介して固定された駆動モータで、この駆動モータ２は、駆動源（例えば電源）３により起動する。ここで駆動源３は、駆動モータ２又は／及び電源３を意味する。
【００１２】
４は駆動モータ２の駆動軸５により作動する減速歯車機構で、この減速歯車機構４は、前記ポンプ用台１に直接又は間接的にポンプＸ側の後述する回転部材との間に配設されている。減速歯車機構４の具体的構成については、図２で簡単に図示する。減速歯車機構４は、例えば駆動モータ２の駆動軸５で回転する駆動歯車４ａ、この駆動歯車の噛合する伝動歯車４ｂ、伝動歯車を有する出力軸６を備えている。
【００１３】
本実施例では、駆動モータ２又は／及び減速歯車機構４は、駆動モータ用の高さ調節台７を介して適宜に設けられている。なお、出力軸６の軸受け部材８．８は、ポンプ用台１又は調節台７に固定的に設けられる。
【００１４】
（２）ポンプＸの基本的な構成部材
本発明のポンプＸは、駆動源の駆動力により、中央部にピストンを有する作動杆が往復動するピストン型ポンプである。第１実施例は、ポンプ本体、作動杆及びポンプ本体に連結される弁収納部を有する第１と第２の吸引弁手段及び第１と第２の吐出弁手段が発明の特定要件である。
【００１５】
さて、ピストン型ポンプＸは図２で示すように、ポンプ用台１の上面で、かつ、高さ調節台７の隣に設置されている。このピストン型ポンプＸは、ポンプ用台１の上面に固定された固定部材１１と、この固定部材１１の内部空間１２に、前述した駆動モータ２の駆動力により低速回転するように設けられ、かつ、カム機能を有する回転部材１３と、この回転部材１３に形成した内部（凹所内）１４に固定側の支持部材を介して固定的に配設されたポンプ本体１５と、該ポンプ本体１５の両側壁を貫通し、かつ、中央部にピストン１７を有する作動杆１６と、前記ポンプ本体１５のシリンダー１８に形成された第１と第２の吸引孔２１．２２及び第１と第２の吐出孔２３．２４にそれぞれ連通する弁収納部３５を有する第１と第２の吸引弁手段２１Ａ．２２Ａ及び第１と第２の吐出弁手段２３Ａ．２４Ａとを備えている。そこで、以下、これらの基本的な構成部材を詳細に説明する。
【００１６】
（３）固定部材１１
図２で示すように、ベース部１０を有する固定部材１１は、例えば一側面開口の筒状体に形成されている。固定部材１１の外周壁の形態は問わない。固定部材１１は、配管用の貫通孔、案内部等を有するが、細部的事項は割愛する。
【００１７】
２５は固定部材１１に固定的に設けられた単数又は複数本のアーム状の支持部材でる。これらの支持部材２５は、固定部材１１の垂直壁部１１ａから回転部材１３の内部１４へと水平状態に延び、ポンプ本体１５を直接的ないし間接的に支持する。
【００１８】
しかして、本実施例では、前記垂直壁部１１ａの内壁面の適宜部位から水平状態に延設し、ポンプ本体１５及びその作動杆１６の突出端部を支持している。なお、図３に示すように、例えば支持部材２５を複数本にして、作動杆１６の突出部１６ａ、１６ａも支承する場合には、それらの支持部材２５を軸受け腕に形成するのが望ましい。
【００１９】
また、固定部材１１の垂直壁部１１ａには突出壁部１１ｂが連設している。この突出壁部１１ｂは、垂直壁部１１ａの内壁面に対して直交する環状の内周壁面を有する。この内周壁面は、前述した回転部材１３用の内部空間１２を形成する。なお、内周壁面には、図示しない固定の支持部材あるいは可動の支持部材（案内レール、案内リング、案内溝、ベアリングなど）を適宜に設けても良い。
【００２０】
（４）回転部材１３
回転部材１３も、固定部材１１と同様に、一側面開口の筒状体に形成されている。回転部材１３は、図２で示すように、駆動源側の出力軸６に支持されるように該出力軸６の先端部に一体的に連結された垂直の円形回転板２６と、この円形回転板２６の周縁部に突壁状態に周設された環状板２７とから成る。前記円形回転板２６の中心部に出力軸６が適宜に固定されている。また回転部材１３の環状板２７の外径寸法は、固定部材１１の突出壁部１１ｂの内径寸法を考慮して適宜に設定されている。さらに、環状板２７の横向凹所１４は、少なくとも１個のポンプ本体１５を十分に収納する大きさに設定されている。また、横向凹所１４は２個のポンプ本体を十分に収納する大きさに設定するのが望ましい。
【００２１】
しかして、本実施例では、前記環状板２６の横向凹所１４の内周壁面に等速カム輪郭２８が形成されている。等速カム輪郭２８は、図３で示すように心臓カムである。
【００２２】
したがって、図３を基準にすると、ハート型のカム２８は、弧状の突出部分２８ａと、この突出部分と対向する弧状の凹所部分２８ｂとを有する。それ故に、例えば図３に示した作動杆１６を基準にすると、回転部材１３の角度を二等分することができる。
【００２３】
（５）ポンプ本体１５
本実施例のポンプＸは、ポンプ本体（シリンターと作動杆とから成る）１５を備え、ポンプ本体１５から供給を受ける対象へ圧送する流体の合成波形Ｗを一定（無動脈）にする目的を有している。そこで、ポンプ本体１５の作動杆１６を、前述した回転部材１３を内設する固定部材１１側の支持部材２５を介して支承している。駆動源２３の駆動力により回転部材１３が回転すると、作動杆１６は、図３で示すように、その突出先端部１６ａ．１６ａがハート型カム面２８を直接又は間接的に摺接（或いは転動）するから、回転部材１３が回転している限り上下方向に往復動する。
【００２４】
ところで、図１は、第１実施例の基本的な構成部材を示す概念図であるから、具体的な実施レベルでは、前記カム面２８には、例えば単数又は複数の周溝２９を形成し、一方、作動杆１６の突出先端部１６ａには、前記周溝２９に対応するローラ、ボールなどの転動体３０を設ける。
【００２５】
なお、ポンプ本体１５が二連式の場合には、各ポンプ本体１５の作動杆１６が交差状になるように回転部材１３に内設するのが望ましい。そして、交差する各作動杆１６の突出先端部は、共用する幅広の案内溝（単独）、又は左右一対の個別的な周溝２９をローラシャフト及び転動体３０を介してそれぞれ移動するように構成する（図２、図３参照）。
【００２６】
（６）作動杆の作動
図４で示すように、作動杆１６は、中央部にピストン１７を有しかつシリンダー１８の両側壁を貫通している。第１実施例の回転部材１３は、駆動モータ２を含む駆動源３の駆動力により回転するが、該回転部材１３が回転すると、ポンプ本体１５の作動杆１６は、回転部材１３のカム面２８により往復動する。したがって、回転部材１３は、ポンプ本体１５に対する駆動部材である。
【００２７】
そして、第１と第２の吐出弁手段２３Ａ．２４Ａから押し出される流体の合成波形Ｗは、後述するように略一定（無動脈）である。なお、図示しないニ連式のポンプ本体１５の場合には、他方のポンプ本体は補正ポンプの役割を果たす。
【００２８】
（７）吸引弁手段及び吐出弁手段
ポンプ本体１５のシリンダー１８は、ピストン１７で区画された第１加圧室３１と第２加圧室３２とを有する。またシリンダー１８は、これらの第１と第２の加圧室３１．３２にそれぞれ連通する第１と第２の吸引孔２１．２２及び第１と第２の吐出孔２３．２４を有する。
【００２９】
第１吸引弁手段２１Ａ、第２吸引弁手段２２Ａ、第１吐出弁手段２３Ａ、第２吐出弁手段２４Ａは、それぞれシリンダー１８の周胴部に突出した合計４個の連結部３３に取り外し可能に連結され、これらの手段２１Ａ．２２Ａ．２３Ａ．２４Ａに設けられた各弁収納部３５は、対応する前記第１吸引孔２１、第２吸引孔２２、第１吐出孔２３、第２吐出孔２４にそれぞれ連通している。
【００３０】
ここで、図５及び図６を参照にして第１吸引弁手段２１Ａの構成を説明する。なお、第２吸引弁手段２２Ａの構成は、第１吸引弁手段のそれと同一なので、同一の符号を付して重複する説明を割愛する。
【００３１】
第１吸引弁手段２１Ａは、シリンダー１８の吸引側連結部３３に螺合する第１螺合部を有する第１連結具４１と、この第１連結具４１の第２螺合部に螺合する第２連結具４２と、これらの連結具４１．４２の係合により形成された弁収納部３５と、この弁収納部３５に収納された曲面を有する磁性弁体４３とから成り、前記磁性弁体４３は、前記第２連結具４２側の磁性弁座４４に対して極性に対応して着座自在である。
【００３２】
しかして、前記磁性弁体４３は、本実施例では、球状磁石（マグネットボール）が使用されている。そして、この球状磁石４３の表面には防錆ないし衝撃防止の観点から弗素樹脂がコーティングされている。防錆剤の一例は、ポリテトラフルオロチレンである。
【００３３】
一方、前記磁性弁座４４は、本実施例では、磁性パッキン（マグネットシート）が使用されている。もちろん、磁性弁座４４は設計変更可能である。例えば第２連結具４２の断面コ字型状の第１螺合部の内壁面にすり鉢形状の磁性弁座４４を形成しても良い。この場合には、磁性弁座４４を磁性弁体４３が吸着可能な材質（ステンレススチール）で形成し、望ましくは前述した防錆剤ないし衝撃防止剤をコーティングする。
【００３４】
このように磁性弁体４３と磁性弁座４４との吸着関係は、両方が「異磁極による吸着力」を発揮すれば良いから、例えば両方を磁石にし、又は一方を磁石にする反面、他方を磁性体材質の第２連結具にすることができる。しかも、磁性弁座４４を第２連結具４２の第１螺合部の内壁面に形成し、又は第１螺合部の凹所の内壁面に密嵌合する磁性パッキンにすることも可能である。
【００３５】
ここで、第１吸引弁手段２１Ａの各部位に符号を付す。４５は第１連結具４１の第１螺合部（例えばメネジ部）で、この第１螺合部４５の外周壁４６は、袋ナット形状に形成さている。４７は第１螺合部４５に突起状に連設する第２螺合部（例えばオネジ部）で、この第２螺合部４７には、端面から第１螺合部４５の流体用貫通孔４８に向かって磁性弁体４３用凹所４９が形成されている。この凹所４９は磁性弁体４３が自由に動けるように余裕を持って設定されている。本実施例では、磁性弁体４３が前記流体用貫通孔４８を塞がないようにするために、貫通孔４８は、図６で示すように横向き凹所４９の上位の位置に形成されている。
【００３６】
次に、５１は流体用貫通孔を有する第２連結具４２の第１螺合部（例えばメネジ部）で、この第１螺合部５１には、本実施例では磁性弁座４４用凹所５２が形成されている。この凹所５２の奥行きは、磁性弁座４４を第２連結具４２とは別体の磁性パッキンにするか否かによって決まる。５３は第１螺合部５１の一側壁に連設する第２螺合部で、この第２螺合部（例えばメネジ部）５３には吸引側の配管５４の一端部が螺合可能である。
【００３７】
以上が第１吸引弁手段２１Ａ及び第２吸引弁手段２２Ａの構成であるが、図７及び図８に示す第１吐出弁手段２３Ａ、第２吐出弁手段２４Ａも、吸引弁手段と同様の構成である。
【００３８】
したがって、吸引弁手段の符号を借用して第１吐出弁手段２３Ａ（第２吐出弁手段２４Ａの構成も第１吐出弁手段２３Ａと同一）を説明する。
【００３９】
すなわち、４２Ａはシリンダー１８の吐出側連結部３３に螺合する第１連結具である。この第１連結具４２Ａは、吸引弁手段２１Ａ（２２Ａ）側の第２連結具４２の構成と同様になっている。したがって、５１は流体用貫通孔を有する第１螺合部（例えばメネジ部）で、この第１螺合部５１には、磁性弁座４４用凹所５２が形成されている。５３は第１螺合部５１の一側壁に連設する第２螺合部で、この第２螺合部（例えばメネジ部）５３は、吐出側の配管５４Ａではなく、シリンダー１８の吐出側連結部３３に螺合する。
【００４０】
一方、４１Ａは第１連結具４２Ａと前記吐出側の配管５４Ａにそれぞれ螺合する第２連結具である。この第２連結具４１Ａは、吸引弁手段２１Ａ（２２Ａ）側の第１連結具４１の構成と同様になっている。したがって、４５は第１螺合部で、この第１螺合部４５は、シリンダー８ではなく、吐出側の配管５４Ａに螺合可能である。一方、４７は第１連結具４２Ａの第１螺合部５１に螺合する第２螺合部である。４９は磁性弁体４３用凹所である。４８は吐出側の流体用貫通孔である。４６は袋ナット形状の外周壁である。
【００４１】
上記のように、第１吐出弁手段２３Ａ、第２吐出弁手段２４Ａも第１吸引弁手段２１Ａ及び第２吸引弁手段２２Ａと同様に、シリンダー１８に取り外し可能に螺合する第１連結具４２Ａと、この第１連結具４２Ａの螺合部に螺合する第２連結具４１Ａと、これら第２と第２の連結具４２Ａ．４１Ａの係合により形成された弁収納部３５と、この弁収納部３５に収納され、かつ、曲面を有する磁性弁体４３とから成り、前記磁性弁体４３は、前記第１連結具４２Ａ側の磁性弁座４４に対して極性に対応して着座自在である。
【００４２】
（８）各磁性弁体の機能
各弁収納部３５の各磁性弁体４３は、駆動源（例えば駆動モータ２）の駆動力により、例えば図１５で示すように、ピストン１７が作動杆１６を介して第１と第２の加圧室３１．３２内を矢印Ａ方向へ摺動すると、該ピストン１７の摺動に起因して流体の圧力が磁性体の吸着力よりも増さると、第１の吸引弁手段２１Ａ並びに第２の吐出弁手段２４Ａの各磁性弁体４３．４３は、磁気吸着作用の吸着力に抗して対応する磁性弁座４４．４４から同時に離れて開弁状態となる（図１５）。
【００４３】
したがって、第１の吸引弁手段２１Ａ並びに第２の吐出弁手段２４Ａの各磁性弁体４３．４３は、圧力流体をシリンダー１８内に入れる機能と、圧力流体をシリンダー１８から外へ流す（逃がす）機能を同時に行う。一方、この時、第１加圧室側３１の第１吐出弁手段２３Ａ並びに第２加圧室側３２の第２吸引弁手段２２Ａの各磁性弁体４３．４３は、磁気作用により逆止弁の機能を発揮する。
【００４４】
これに対して、図１６で示すように、ピストン１７が矢印Ｂ方向へ摺動すると、図１５の場合とは逆になり、第２の吸引弁手段２２Ａ並びに第１の吐出弁手段２３Ａの各磁性弁体４３．４３は、圧力流体ないし磁気吸着作用の吸着力に抗して対応する磁性弁座４４．４４から同時に離れて開弁状態となる。したがって、第２の吸引弁手段２２Ａ並びに第１の吐出弁手段２３Ａの各磁性弁体４３．４３は、圧力流体をシリンダー１８内に入れる機能と、圧力流体をシリンダー１８から外へ流す（逃がす）機能を同時に行う。以下、同様である。
【００４５】
（９）供給源、配管、ポンプ本体、供給を受ける対象
図９は、ポンプ本体１５と配管５４．５４Ａとの接続関係を概略的に示している。  
本発明のピストン型ポンプＸは、多用途である。供給源（タンク、容器など）５５に収納される流体５６を列挙すると、液体水素、気体水素、電解溶液、高圧ガス、メタンガス、アンモニア、塩素ガス、都市ガス、ＬＰガス、天然ガスなどである。
【００４６】
もちろん、流体５６はこれらの気体や液体に限定されるものではない。例えば供給を受ける対象５７が人体であれば、人体に適合する溶液となり、また供給を受ける対象５７が包装容器であれば、該包装容器に適合する材料、食料等が流体５６となる。
【００４７】
したがって、現時点で発明者が認識しない流体を対象に圧送する場合にも、ポンプＸは利用される可能性がある。
【００４８】
なお、図９に於いて、供給源５５は、１個示しているが、これは説明の便宜上であり、流体５６が２以上の試薬、塗料、食品などの場合には、供給源５５を２個にしても良いことはもちろんである。
【００４９】
（１０）合成波形Ｗ
ここで、図１０を参照にして合成波形Ｗが略一定（無動脈）である理由を説明する。
図３で示すように、駆動モータ２の駆動力により回転部材１３が矢印で示す時計方向へと低速回転すると、図１０で示すように、回転部材１３の速カム輪郭２８の各黒点「●」部分は、駆動源側の出力軸６を中心にしてそれぞれ同心円状の軌跡を描く。
【００５０】
したがって、図１０を基準にすると、●ａは出力軸６に最も近い位置に存在する反面、●ｂは出力軸６から最も離れた位置にあるから、ポンプ本体１５の作動杆１６の転動体３０がカム２８の凸部分２８ａ並びに凹所部分２８ｂの位置にきた時が、いわばピストン１７の死点に相当するといえる。この死点は、回転部材１３が１８０度回転すると、前記●ａと、●ｂの位置が入れ替わる。
【００５１】
したがって、ポンプ本体１５の作動杆１６は、１８０度の位相差を有して吸引と吐出が切り替わるということになる。この場合、例えばポンプ本体が「単体」である場合、すなわち、作動杆１６を備えたポンプ本体１５のみである場合には、上死点側或いは下死点側に相当する部分で、流体入力と流体出力が、いわば停止状態となり、その結果、流体の出力側の波形が、図１１の左図で示すように「サインカーブ（通称）」となってしまう。
【００５２】
しかしながら、本発明では、少なくとも一つのポンプ本体１５が回転部材１３の内部１４に配設され、かつ、作動杆１６の突出する先端部が回転部材１３のハート型カム面を摺接或いは転動するから、図１１の右図で示す線図のように作動杆１６が作動する限り、サインカーブを解消することができる。
【実施例】
【００５３】
この欄では、第１実施例を回避する場合の変形例（第２実施例、第３実施例）を簡単に説明する。なお、第２実施例及び第３実施例の説明に当たって、第１実施例と同一部分には、同一の符号を付して重複する説明を省略する。
【００５４】
（１１）第２実施例
図１２は、本発明の第２実施例を示すピストン型ポンプＸ１である。この第２実施例が第１実施例と主に異なる点は、シリンダー１８Ａの周胴部に、シリンダー１８Ａに形成された第１と第２の吸引孔２１．２２及び第１と第２の吐出孔２３．２４にそれぞれ連通する弁収納部３５Ａ．３５Ａを構成する第１と第２の吸引弁手段２１Ａ．２２Ａ及び第１と第２の吐出弁手段２３Ａ．２４Ａをそれぞれ連結した点である。この第２実施例は、第１実施例のように、周胴部から突出する吸引用及び吐出用の連結部が存在しない反面、第１実施例の吸引側の第２連結具４２に相当する連結具４２Ｂ及び吐出側の第２連結具４１Ａに相当する連結具４１Ｂが、直接シリンダー１８Ａの周胴部にそれぞれ設けられている。したがって、吸引側の１つの連結具４２Ｂ及び吐出側の１つの連結具４１Ｂが、シリンダー１８Ａに螺着自在に結合する点が、第１実施例と異なる。
【００５５】
この第２実施例のポンプＸ１も、第１実施例と同様に、シリンダー１８Ａの周胴部には、ピストン７で区画された第１と第２の加圧室にそれぞれ連通する第１と第２の吸引孔２１．２２及び第１と第２の吐出孔２３．２４が形成されている。また、第１と第２の吸引弁手段２１Ａ．２２Ａ及び第１と第２の吐出弁手段２３Ａ．２４Ａは、吸引側の連結具４２Ｂと吐出側の連結具４１Ｂを介してシリンダー１８Ａの周胴部にそれぞれ連結されている。前記吸引弁手段２１Ａ．２２Ａ及び吐出弁手段２３Ａ．２４Ａの各弁収納部３５Ａには、極性に対応して磁性弁座４４に着座し、かつ、曲面を有する磁性弁体４３がそれぞれ内装されている。
【００５６】
そして、各磁性弁体３５Ａは、駆動源の駆動力により、作動杆１６のピストン１７が加圧室３１．３２内を摺動することに起因して流体の圧力が磁性体の吸着力よりも増さると、第１の吸引弁手段２１Ａ並びに第２の吐出弁手段２４Ａの各磁性弁体４３．４３は、磁気吸着作用の吸着力に抗して対応する磁性弁座４４．４４から同時に離れて開弁状態となる反面、第１吐出弁手段２３Ａ並びに第２吸引弁手段２２Ａの各磁性弁体４３．４３は、磁気作用により逆止弁の機能を発揮する。したがって、このように設計変更しても、第１実施例と同一の作用・効果がある。
【００５７】
（１２）第３実施例
図１３は、本発明の第３実施例を示すピストン型ポンプＸ２である。
この第３実施例が第１実施例と主に異なる点は、シリンダー１８Ｂの周胴部そのものに、シリンダー１８Ｂに形成された第１と第２の吸引孔２１．２２及び第１と第２の吐出孔２３．２４にそれぞれ連通する弁収納部３５Ａ．３５Ａを有する第１と第２の吸引弁手段２１Ａ．２２Ａ及び第１と第２の吐出弁手段２３Ａ．２４Ａを内設するように構成したことである。
【００５８】
したがって、図１４で示すように、前記シリンダー１８Ｂは、第１実施例の吸引側の第２連結具４２及び吐出側の第２連結具４１Ａにそれぞれ相当する部分を有する外筒体６１と、この外筒体６１に内装されかつ第１実施例の吸引側の第１連結具４１及び吐出側の第１連結具４２Ａにそれぞれ相当する部分を有する内筒体６２とから構成されている。
【００５９】
しかして、前記シリンダー１８Ｂの内筒体６２には、第１実施例のシリンダー１８と同様に、ピストン１７で区画された第１と第２の加圧室３１．３２にそれぞれ連通する第１と第２の吸引孔２１．２２及び第１と第２の吐出孔２３．２４が形成されている。
【００６０】
一方、前記外筒体６１の外周壁には吸引及び吐出用の連結部３３．３３がそれぞれ設けられ、これらの連結部３３には、第１と第２の吸引弁手段２１Ａ．２２Ａ及び第１と第２の吐出弁手段２３Ａ．２４Ａにそれぞれ連通する吸引及び吐出用の配管５４．５４Ａが連結（螺合）可能である。
【００６１】
また、前記吸引弁手段２１Ａ．２２Ａ及び吐出弁手段２３Ａ．２４Ａの各弁収納部３５Ａには、極性に対応して磁性弁座４４に着座し、かつ、曲面を有する磁性弁体４３．４３がそれぞれ内装されている。
【００６２】
そして、各磁性弁体４３は、第１実施例と同様に、駆動源の駆動力により、作動杆１６のピストン１７が加圧室３１．３２内を摺動することに起因して流体の圧力が磁性体の吸着力よりも増さると、第１の吸引弁手段２１Ａ並びに第２の吐出弁手段２４Ａの各磁性弁体４３．４３は、磁気吸着作用の吸着力に抗して対応する磁性弁座４４．４４から同時に離れて開弁状態となる反面、第１吐出弁手段２３Ａ並びに第２吸引弁手段２２Ａの各磁性弁体４３．４３は、磁気作用により逆止弁の機能を発揮する。したがって、このように設計変更しても、第１実施例と同一の作用・効果がある。
【００６３】
（１３）その他
以上の各実施例に於いて、ポンプＸ、Ｘ１及びＸ２の筒状回転部材１３は、筒状固定部材の内部空間１４に支持部材２５を介して配設されているが、筒状回転部材１３は、例えば周壁に永久磁石を有する回転子であり、一方、該固定部材が、駆動源（電源）の供給を受ける固定子である場合（駆動モータ型の場合）には、前記支持部材は、玉軸受けに代えることができる。
【００６４】
また、各実施例に於いて、作動杆１６の両端部は、シリンダー１８（１８Ａ，１８Ｂ）の両側壁から常時突出し、これらの突出先端部は、筒状回転部材の内部に設けられた等速カム輪郭２８に摺接し、該作動杆は筒状回転部材の回転により往復動することを特徴とするが、必ずしも作動杆の両端部はシリンダーから貫通状態に突出させる必要はなく、先端部をシリンダーヘッド内で摺動させ、一方、後端部をシリンダーの側壁から突出させ、この突出端部にクランクを連結し、かつ、減速歯車機構を介して該クランクに駆動モータの駆動力を伝達するように構成しても良い。
【００６５】
さらに、各実施例に於いて、磁性弁体４３は、球状磁石であることを特徴とするが、必ずしも球状磁石にする必要はなく、同一の機能を発揮することができるならば、例えば、球状磁石の形状を「ニードル弁形状」に代えても良い。なお、このニードル弁形状の磁性弁体の具体的構成については、本願発明者が、日本国特許庁に申請中である（特願２００３−１７０８４２号）。
【産業上の利用可能性】
【００６６】
本発明は、主にポンプ業界及び関連業界で製造・販売される。
【図面の簡単な説明】
【００６７】
図１乃至図１１は本発明の第１実施例を示す各説明図。図１２は本発明の第２実施例である。図１３及び図１４は本発明の第３実施例を示す各説明図。図１５及び図１６は本発明の作用・効果を示す各説明図。
【図１】第１実施例の基本的構成を示す概略説明図。
【図２】ポンプ本体を省略した概略説明図。
【図３】主要部を縦断面で示した概略説明図。
【図４】ポンプ本体の構造を示した概略説明図。
【図５】吸引弁手段の概略横断面説明図。
【図６】吸引弁手段の概略縦断面説明図。
【図７】吐出弁手段の概略横断面説明図。
【図８】吐出弁手段の概略縦断面説明図。
【図９】ポンプ本体と配管との関係を示す概念的な説明図。
【図１０】等速カム輪郭と作動杆との関係を示す説明図。
【図１１】図１０の実施例における発明の効果の説明図。
【図１２】本発明の第２実施例を示す概略横断面説明図。
【図１３】本発明の第３実施例を示す概略横断面説明図。
【図１４】本発明の第３実施例を示す概略縦断面説明図。
【図１５】本発明の作用・効果の説明図（第１加圧室側の吸引弁手段の磁性弁体が開弁状態、第２加圧室側の吐出弁手段の磁性弁体も開弁状態）。
【図１６】本発明の作用・効果の説明図（図１５とは逆）。
【符号の説明】
【００６８】
Ｘ、Ｘ１、Ｘ２…ピストン型ポンプ、２…駆動モータ、３…駆動源、４…減速歯車機構、５…駆動軸、６…出力軸、１０…ベース部、１１…筒状固定部材、１２…内部空間、１３…筒状回転部材、１４…内部、１５…ポンプ本体、１６…作動杆、１７…ピストン、１８、１８Ａ、１８Ｂ…シリンダー、２１…支持部材、２８…等速カム輪郭、２９…周溝、３０…転動体、２１…第１吸引孔、２２…第２吸引孔、２３…第１吐出孔、２４…第２吐出孔、２１Ａ…第１吸引弁手段、２２Ａ…第２吸引弁手段、２３Ａ…第１吐出弁手段、２４Ａ…第２吐出弁手段、３１…第１加圧室、３２…第２加圧室、３３…連結部、３５、３５Ａ…弁収納部、４３…磁性弁体、４４…磁性弁座、６１…外筒体、６２…内筒体。
【図１】
2006009679.tif 000003
【図２】
2006009679.tif 000004
【図３】
2006009679.tif 000005
【図４】
2006009679.tif 000006
【図５】
2006009679.tif 000007
【図６】
2006009679.tif 000008
【図７】
2006009679.tif 000009
【図８】
2006009679.tif 000010
【図９】
2006009679.tif 000011
【図１０】
2006009679.tif 000012
【図１１】
2006009679.tif 000013
【図１２】
2006009679.tif 000014
【図１３】
2006009679.tif 000015
【図１４】
2006009679.tif 000016
【図１５】
2006009679.tif 000017
【図１６】
2006009679.tif 000018